(57)【要約】      （修正有）【課題】シンカー等となるヘッドと軟質ワーム等の擬似餌本体とを備えた魚釣り用擬似餌であって、ヘッドに擬似餌本体を取り付ける際の擬似餌本体の位置ずれを抑制出来る疑似餌の提供。【解決手段】擬似餌40はヘッド11と軟質の擬似餌本体１を備える。ヘッド11にはその後方へ突出する取付け片12が設けられている。擬似餌本体１にはその前端から後方に延びるとともに取付け片12に対応する差込み溝２又は差込み孔が設けられている。擬似餌本体１は、取付け片12が差込み溝２又は差込み孔に抜出可能に差し込まれることにより、ヘッド11に取外し可能に取り付けられる。【選択図】図４
2018113923.tif 000002
【特許請求の範囲】
【請求項１】
ヘッドと軟質の擬似餌本体とを備え、
前記ヘッドにはその後方へ突出する取付け片が設けられており、
前記擬似餌本体にはその前端から後方に延びるとともに前記取付け片に対応する差込み溝又は差込み孔が設けられており、
前記擬似餌本体は、前記取付け片が前記差込み溝又は前記差込み孔に抜出可能に差し込まれることにより、前記ヘッドに取外し可能に取り付けられる魚釣り用擬似餌。
【請求項２】
前記擬似餌本体には前記差込み孔ではなく前記差込み溝が設けられており、
前記差込み溝は、前記擬似餌本体の下面側に開口したものであり、
前記取付け片には上方へ突出する突片が設けられるとともに、前記突片は鉤部を有しており、
前記擬似餌本体には、前記突片に対応する挿入孔が前記差込み溝から上方に延びて設けられており、
前記突片の前記鉤部は、前記突片が前記挿入孔から不慮に抜出するのを抑制するものであり、
前記擬似餌本体は、前記取付け片が前記差込み溝に抜出可能にその開口から上方に差し込まれるとともに前記突片が前記挿入孔に抜出可能に上方に挿入されることにより、前記ヘッドに取外し可能に取り付けられる請求項１記載の魚釣り用擬似餌。
【請求項３】
前記擬似餌本体には前記差込み孔ではなく前記差込み溝が設けられており、
前記差込み溝は、前記擬似餌本体の下面側に開口したものであり、
前記取付け片には上方へ突出する突片が設けられており、
前記擬似餌本体は、前記取付け片が前記差込み溝に抜出可能にその開口から上方に差し込まれるとともに前記突片が前記擬似餌本体に抜出可能に前記差込み溝から上方に突き刺されることにより、前記ヘッドに取外し可能に取り付けられる請求項１記載の魚釣り用擬似餌。
【請求項４】
前記突片の先端部は、前記擬似餌本体が前記ヘッドに取り付けられた状態において前記擬似餌本体の上面側に露出するように配置されるものであり、
前記突片の前記先端部にラインアイが形成されている請求項２又は３記載の魚釣り用擬似餌。
【請求項５】
前記取付け片の下縁部には、前記擬似餌本体が前記ヘッドに取り付けられた状態において前記擬似餌本体の下面側に突出する突出部が形成されており、
前記突出部にフックアイが形成されている請求項１〜４のいずれかに記載の魚釣り用擬似餌。
【請求項６】
前記取付け片の長さ方向の少なくとも一部が板状に形成されている請求項１〜５のいずれかに記載の魚釣り用擬似餌。
【発明の詳細な説明】
【技術分野】
【０００１】
本発明は、魚釣り用の擬似餌に関する。
【背景技術】
【０００２】
魚釣り用の擬似餌として、例えば実用新案登録第３１９０１３１号公報（特許文献１）に開示されたジグヘッドを備えたものが知られている。
【０００３】
このジグヘッドは、ダブルフックを形成するハリ本体と当該ハリ本体上に軟質ワーム（擬似餌本体）を固定するためのワームストッパ部とを備えたシンカーを具備している。ワームストッパ部には上方に突出した突出部が形成されており、この突出部を軟質ワームに突き刺すことによって軟質ワームがワームストッパ部に取り付けられる。
【先行技術文献】
【特許文献】
【０００４】
【特許文献１】実用新案登録第３１９０１３１号公報
【発明の概要】
【発明が解決しようとする課題】
【０００５】
しかるに、上述のジグヘッドでは、突出部を軟質ワームに突き刺す際に軟質ワームがずれ易く、軟質ワームを狙いの位置に取り付けることが困難であった。
【０００６】
本発明は、上述した技術背景に鑑みてなされたもので、本発明の解決課題は、シンカー等となるヘッドと軟質ワーム等の擬似餌本体とを備えた魚釣り用擬似餌であって、ヘッドに擬似餌本体を取り付ける際の擬似餌本体の位置ずれを抑制することにある。
【課題を解決するための手段】
【０００７】
本発明は以下の手段を提供する。
【０００８】
［１］  ヘッドと軟質の擬似餌本体とを備え、
前記ヘッドにはその後方へ突出する取付け片が設けられており、
前記擬似餌本体にはその前端から後方に延びるとともに前記取付け片に対応する差込み溝又は差込み孔が設けられており、
前記擬似餌本体は、前記取付け片が前記差込み溝又は前記差込み孔に抜出可能に差し込まれることにより、前記ヘッドに取外し可能に取り付けられる魚釣り用擬似餌。
【０００９】
［２］  前記擬似餌本体には前記差込み孔ではなく前記差込み溝が設けられており、
前記差込み溝は、前記擬似餌本体の下面側に開口したものであり、
前記取付け片には上方へ突出する突片が設けられるとともに、前記突片は鉤部を有しており、
前記擬似餌本体には、前記突片に対応する挿入孔が前記差込み溝から上方に延びて設けられており、
前記突片の前記鉤部は、前記突片が前記挿入孔から不慮に抜出するのを抑制するものであり、
前記擬似餌本体は、前記取付け片が前記差込み溝に抜出可能にその開口から上方に差し込まれるとともに前記突片が前記挿入孔に抜出可能に上方に挿入されることにより、前記ヘッドに取外し可能に取り付けられる前項１記載の魚釣り用擬似餌。
【００１０】
［３］  前記擬似餌本体には前記差込み孔ではなく前記差込み溝が設けられており、
前記差込み溝は、前記擬似餌本体の下面側に開口したものであり、
前記取付け片には上方へ突出する突片が設けられており、
前記擬似餌本体は、前記取付け片が前記差込み溝に抜出可能にその開口から上方に差し込まれるとともに前記突片が前記擬似餌本体に抜出可能に前記差込み溝から上方に突き刺されることにより、前記ヘッドに取外し可能に取り付けられる前項１記載の魚釣り用擬似餌。
【００１１】
［４］  前記突片の先端部は、前記擬似餌本体が前記ヘッドに取り付けられた状態において前記擬似餌本体の上面側に露出するように配置されるものであり、
前記突片の前記先端部にラインアイが形成されている前項２又は３記載の魚釣り用擬似餌。
【００１２】
［５］  前記取付け片の下縁部には、前記擬似餌本体が前記ヘッドに取り付けられた状態において前記擬似餌本体の下面側に突出する突出部が形成されており、
前記突出部にフックアイが形成されている前項１〜４のいずれかに記載の魚釣り用擬似餌。
【００１３】
［６］  前記取付け片の長さ方向の少なくとも一部が板状に形成されている前項１〜５のいずれかに記載の魚釣り用擬似餌。
【発明の効果】
【００１４】
本発明は以下の効果を奏する。
【００１５】
前項１では、擬似餌本体は、ヘッドの取付け片が擬似餌本体の差込み溝又は差込み孔に抜出可能に差し込まれることにより、ヘッドに取外し可能に取り付けられるものである。したがって、ヘッドの取付け片を擬似餌本体の差込み溝又は差込み孔に差し込むことにより、擬似餌本体をヘッドに取り付けることができ、そのため、擬似餌本体をヘッドに取り付ける際の擬似餌本体の位置ずれを抑制することができる。
【００１６】
さらに、ヘッドの取付け片は擬似餌本体の差込み溝又は差込み孔に対して抜出可能であるから、ヘッドの取付け片を差込み溝又は差込み孔から抜出することにより擬似餌本体をヘッドから取り外すことができる。そのため、例えば、形状、重さ、色等が異なる複数の擬似餌本体を準備しておき、これらの中から、魚釣りの現場にて釣りたい魚や現場状況等に適する擬似餌本体を選択してこれをヘッドに取り付けたり交換したりすることができる。
【００１７】
前項２では、擬似餌本体は、更に、ヘッドの突片が擬似餌本体の挿入孔に抜出可能に挿入されることにより、ヘッドに取外し可能に取り付けられるものである。したがって、ヘッドに取り付けられた擬似餌本体が取付け片を中心に回転するのを突片によって阻止することができる。これにより、ヘッドに取り付けられた擬似餌本体の姿勢を強固に保持することができる。
【００１８】
さらに、ヘッドの突片は鉤部を有しているので、挿入孔に挿入された突片が挿入孔から不慮に抜出するのを抑制することができ、これにより、擬似餌本体をヘッドにしっかりと取り付けることができる。
【００１９】
前項３では、擬似餌本体は、更に、ヘッドの突片が擬似餌本体に差込み溝から上方に抜出可能に突き刺されることにより、ヘッドに取外し可能に取り付けられるものである。したがって、ヘッドに取り付けられた擬似餌本体が取付け片を中心に回転するのを突片によって阻止することができる。これにより、ヘッドに取り付けられた擬似餌本体の姿勢を強固に保持することができる。
【００２０】
さらに、ヘッドの突片は鉤部を有しているので、擬似餌本体に突き刺さした突片が擬似餌本体から不慮に抜出するのを抑制することができ、これにより、擬似餌本体をヘッドにしっかりと取り付けることができる。
【００２１】
ここで、前項２と前項３を対比すると、前項２では、挿入孔が予め擬似餌本体に設けられているから、前項２の場合は、突片を擬似餌本体に突き刺して擬似餌本体をヘッドに取り付ける方式である前項３に比べて、擬似餌本体をヘッドに取り付ける際の擬似餌本体の位置ずれをより確実に抑制することができるし、突片を擬似餌本体に突き刺すことによる擬似餌本体の損傷が生じないので擬似餌本体を長期間に亘って使用することができる。一方、前項３の場合は、挿入孔を予め擬似餌本体に設ける必要がないので、擬似餌本体を容易に製造することができる。
【００２２】
前項４では、ヘッドの突片の先端部にラインアイが形成されているので、擬似餌本体をヘッドに取り付けた後でラインアイにスナップやリングを介してラインを接続すれば、差込み孔から取付け片が不慮に抜出するのをスナップやリングによって抑制することができる。さらに、万一、差込み孔から取付け片が不慮に抜出した場合でも擬似餌本体にラインが通された状態になるので、擬似餌本体の紛失を防止することができる。
【００２３】
前項５では、ヘッドの取付け片の下縁部の突出部にフックアイが形成されているので、このフックアイにフックを接続することができる。
【００２４】
前項６では、ヘッドの取付け片の長さ方向の少なくとも一部が板状に形成されているので、ヘッドに取り付けられた擬似餌本体が取付け片を中心に回転するのを阻止することができる。これにより、ヘッドに取り付けられた擬似餌本体の姿勢を強固に保持することができる。
【図面の簡単な説明】
【００２５】
【図１】図１は本発明の一実施形態に係る魚釣り用擬似餌の側面図である。
【図２】図２は同擬似餌の底面図である。
【図３】図３は同擬似餌を上斜め後側から見た斜視図である。
【図４】図４は同擬似餌の分解斜視図である。
【図５】図５は同擬似餌の断面図である。
【図６】図６は同擬似餌の分解断面図である。
【図７】図７は同擬似餌の擬似餌本体を下斜め前側から見た斜視図である。
【図８】図８は同擬似餌本体の底面図である。
【発明を実施するための形態】
【００２６】
次に、本発明の一実施形態について図面を参照して以下に説明する。
【００２７】
図１〜３中の符号「４０」は、本発明の一実施形態に係る魚釣り用擬似餌である。
【００２８】
擬似餌４０は、図４に示すように、ヘッド１１と軟質の擬似餌本体１とを具備している。ヘッド１１と擬似餌本体１はそれぞれ別体に形成されている。
【００２９】
なお、図面中の矢印「前」、「後」、「左」及び「右」はそれぞれ本実施形態の擬似餌４０における前方向、後方向、左方向及び右方向を示している。同図に示すように、本実施形態の擬似餌４０では、擬似餌４０の頭部（ヘッド）方向を「前方向」、尾部方向を「後方向」、背びれ部方向を「上方向」と定義されている。
【００３０】
ヘッド１１は、擬似餌４０における例えばシンカーとなる部位であり、金属（例：鉛、真鍮、タングステン）や硬質プラスチック製である。ヘッド１１は、魚の頭部を模した形状に形成されている。
【００３１】
擬似餌本体１は、魚の頭部よりも後側の部位（即ち、胴体部及び尾部）を模した形状に形成されており、弾性を有する軟質のものであり、例えば軟質プラスチック（軟質樹脂を含む）製である。
【００３２】
次に、ヘッド１１と擬似餌本体１のそれぞれの構成について以下に詳しく説明する。
【００３３】
まず、ヘッド１１について以下に説明する。
【００３４】
図４及び６に示すように、ヘッド１１にはその後面下部から後方へ略真直に突出する取付け片１２が一体に設けられている。取付け片１２には擬似餌本体１が取外し可能に取り付けられるものである。取付け片１２の突出長さは、擬似餌本体１の前端から略中間位置までの長さである。
【００３５】
図４に示すように、取付け片１２は、その長さ方向（即ち前後方向）に延びた板棒状の金属製心板１４を有している。さらに、取付け片１２は、ヘッド１１の後面下部から取付け片１２の長さ方向の略中間位置まで延びた左右一対の挟持部１３、１３を有している。
【００３６】
各挟持部１３はヘッド１１と一体に形成されたものであり、したがって挟持部１３の材質はヘッド１１の材質と同じである。さらに、両挟持部１３、１３は、両者１３、１３間に心板１４の肉厚に対応する隙間が生じるように左右に対向状に配置されている。
【００３７】
そして、両挟持部１３、１３間に心板１４の前部と後部のうち前部だけが接着剤等により固着状態に挟持されており、一方、心板１４の後部は両挟持部１３、１３間に挟持されないで露出している。したがって、取付け片１２の前部は両挟持部１３、１３と心板１４の前部とで形成されており、一方、取付け片１２の後部は心板１４（詳述すると心板１４の後部）だけで形成されている。そのため、取付け片１２の前部の肉厚は、取付け片１２の後部よりも厚くなっている。
【００３８】
取付け片１２には上方に突出する複数の突片１５が取付け片１２の長さ方向に間隔をおいて取付け片１２と一体に形成されている。本実施形態では、取付け片１２の前端寄りの部分と後端寄りの部分とにそれぞれ突片１５としての前突片１５Ａと後突片１５Ｂが取付け片１２と一体に形成されている。詳述すると、前突片１５Ａと後突片１５Ｂは取付け片１２の心板１４と一体に形成されている。
【００３９】
さらに、前突片１５Ａの先端部（上端部）の前後両縁部にそれぞれ鉤部１５Ａａが前後に突出して形成されており、これにより前突片１５Ａの先端部が略三角形状（略矢先状）に形成されている。また同じく、後突片１５Ｂの先端部（上端部）の前後両縁部にそれぞれ鉤部１５Ｂａが前後に突出して形成されており、これにより後突片１５Ｂの先端部が略三角形状（略矢先状）に形成されている。
【００４０】
次に、擬似餌本体１について以下に説明する。
【００４１】
図４、６、７及び８に示すように、擬似餌本体１には、その前端から後方に延びるととともに擬似餌本体１の下面側に開口した差込み溝２が設けられている。
【００４２】
差込み溝２はヘッド１１の取付け片１２に対応するものであり、差込み溝２の形状は取付け片１２の形状と略同じ形状である。図４及び６に示すように、差込み溝２にはその開口から取付け片１２が抜出可能に上方に差し込まれる。差込み溝２の長さは取付け片１２の長さと略同じ長さであり、すなわち擬似餌本体１の前端から略中間位置までの長さである。
【００４３】
さらに、擬似餌本体１における、取付け片１２の前後各突片１５Ａ、１５Ｂに対応する部分には、挿入孔３としての前挿入孔３Ａと後挿入孔３Ｂがそれぞれ差込み溝２から上方に延びて設けられている。前挿入孔３Ａには前突片１５Ａが抜出可能に挿入され、後挿入孔３Ｂには後突片１５Ｂが抜出可能に挿入される。
【００４４】
前挿入孔３Ａの上端部には前後方向に幅広の幅広孔部３Ａａが擬似餌本体１の上面側に開口して局部的に形成されている。また同じく、後挿入孔３Ｂの上端部には前後方向に幅広の幅広孔部３Ｂａが擬似餌本体１の上面側に開口して局部的に形成されている。
【００４５】
前後各突片１５（１５Ａ、１５Ｂ）の鉤部１５ａ（１５Ａａ、１５Ｂａ）は、対応する挿入孔３（３Ａ、３Ｂ）の内周面の所定部位に係止されることにより各突片１５（１５Ａ、１５Ｂ）が対応する挿入孔３（３Ａ、３Ｂ）から不慮に抜出するのを抑制するものであり、本実施形態では、鉤部１５ａ（１５Ａａ、１５Ｂａ）は対応する挿入孔３（３Ａ、３Ｂ）の幅広孔部３ａ（３Ａａ、３Ｂａ）の底部（図６中の符号「ｘ」）に係止される。
【００４６】
擬似餌本体１のヘッド１１への取付け方法は以下とおりである。
【００４７】
図４及び６に示すように、ヘッド１１の取付け片１２の上側に擬似餌本体１を配置する。そして、取付け片１２を擬似餌本体１の差込み溝２にその開口から上方に差し込むとともに、前後各突片１５（１５Ａ、１５Ｂ）を対応する挿入孔３（３Ａ、３Ｂ）に上方に挿入する。これにより、図３及び５に示すように、擬似餌本体１がヘッド１１（詳述するとヘッド１１の取付け片１２）に取り付けられる。
【００４８】
各突片１５（１５Ａ、１５Ｂ）を対応する挿入孔３（３Ａ、３Ｂ）に差し込む際においては、各突片１５（１５Ａ、１５Ｂ）の先端部は対応する挿入孔３（３Ａ、３Ｂ）を前後方向に弾性的に押し広げながら上方へ移動し、そして各突片１５（１５Ａ、１５Ｂ）の先端部が対応する挿入孔３（３Ａ、３Ｂ）の幅広孔部３ａ（３Ａａ、３Ｂａ）に到達したとき、擬似餌本体１の弾性復元力により各挿入孔３（３Ａ、３Ｂ）が元の形状に戻る。これにより、図５に示すように、各突片１５（１５Ａ、１５Ｂ）の鉤部１５ａ（１５Ａａ、１５Ｂａ）が対応する挿入孔３（３Ａ、３Ｂ）の幅広孔部３ａ（３Ａａ、３Ｂａ）の底部（図６中の符号「ｘ」）に係止され、その結果、各突片１５（１５Ａ、１５Ｂ）が対応する挿入孔３（３Ａ、３Ｂ）から不慮に抜出しないように抑制される。さらに、この状態のとき、取付け片１２は差込み溝２にぴったりと差し込まれている。
【００４９】
したがって、擬似餌本体１がヘッド１１に取り付けられた状態では、取付け片１２が擬似餌本体１の差込み溝２に差し込まれており、且つ、各突片１５（１５Ａ、１５Ｂ）が対応する挿入孔３（３Ａ、３Ｂ）に挿入されており、更に、各突片１５（１５Ａ、１５Ｂ）の鉤部１５ａ（１５Ａａ、１５Ｂａ）が対応する挿入孔３（３Ａ、３Ｂ）の幅広孔部３ａ（３Ａａ、３Ｂａ）の底部ｘに係止されて各突片１５（１５Ａ、１５Ｂ）の挿入孔３（３Ａ、３Ｂ）からの不慮の抜出が抑制されている。
【００５０】
また、図１及び３に示すように、擬似餌本体１の上面における前挿入孔３Ａ（詳述すると前挿入孔３Ａの幅広孔部３Ａａ）の上開口縁部は断面略円弧状に局部的に切り欠かれている（その切欠き部５）。そのため、擬似餌本体１がヘッド１１に取り付けられた状態では、前挿入孔３Ａに挿入された前突片１５Ａの先端部は、この切欠き部５において擬似餌本体１の上面側に突出して露出するように配置されている。そして、前突片１５Ａの露出した先端部に断面円形状のラインアイ１６が設けられている。
【００５１】
さらに、図１及び５に示すように、取付け片１２の下縁部の後端部には、擬似餌本体１がヘッド１１に取り付けられた状態において擬似餌本体１の下面側に突出する突出部１２ａが形成されており、この突出部１２ａに断面円形状の後フックアイ１２ｂが形成されている。
【００５２】
さらに、ヘッド１１の下面の後端部（即ち、ヘッド１１の下面における取付け片１２との近傍部）にも下方に突出した突出部１８ａが一体に形成されるとともに、この突出部１８ａに断面円形状の前フックアイ１８ｂが形成されている。
【００５３】
本実施形態の擬似餌４０を使用する場合は、擬似餌本体１を上述のようにヘッド１１に取り付けるとともに、図１に示すように擬似餌４０の前フックアイ１８ｂ及び後フックアイ１２ｂのうち少なくとも一方にスプリットリング（二点鎖線で示す）３１を介してトレブルフック等のフック（二点鎖線で示す）３０を接続する。なお図１では、フック３０は前フックアイ１８ｂ及び後フックアイ１２ｂの両方にそれぞれ接続されている。
【００５４】
また、擬似餌本体１をヘッド１１に取り付けた後で、前突片１５Ａの先端部のラインアイ１６にスナップ（図示せず）やスプリットリング（図示せず）を介してライン（図示せず）を接続する。この状態にして擬似餌４０を使用する。
【００５５】
擬似餌本体１を交換する場合には、一方の片手でヘッド１１を掴み、他方の片手で擬似餌本体１の前端部を掴んで上方へ引っ張ることにより、取付け片１２を差込み溝２からその開口を通じて下方に抜出するとともに、前突片１５Ａと後突片１５Ｂを順次、前挿入孔３Ａと後挿入孔３Ｂからそれぞれ下方に強制的に抜出する。このとき、擬似餌本体１は軟質なので、擬似餌本体１の前端部を上方に引っ張ることによって各挿入孔３（３Ａ、３Ｂ）が前後方向に弾性的に広がって各突片１５（１５Ａ、１５Ｂ）の鉤部１５ａ（１５Ａａ、１５Ｂａ）による係止が解除される。そのため、各突片１５（１５Ａ、１５Ｂ）を対応する挿入孔３（３Ａ、３Ｂ）から抜出することができる。
【００５６】
本実施形態の擬似餌４０によれば、ヘッド１１の取付け片１２を擬似餌本体１の差込み溝２に差し込むことにより、擬似餌本体１をヘッド１１に取り付けることができ、そのため、擬似餌本体１をヘッド１１に取り付ける際の擬似餌本体１の位置ずれを抑制することができる。したがって、擬似餌本体１をヘッド１１の狙いの位置に確実に取り付けることができる。
【００５７】
さらに、ヘッド１１の取付け片１２は擬似餌本体１の差込み溝２に対して抜出可能であるから、ヘッド１１の取付け片１２を差込み溝２から抜出することにより擬似餌本体１をヘッド１１から取り外すことができる。そのため、例えば、形状、重さ、色等が異なる複数の擬似餌本体１を準備しておき、これらの中から、魚釣りの現場にて釣りたい魚や現場状況等に適する擬似餌本体１を選択してこれをヘッド１１に取り付けたり交換したりすることができる。もちろん、擬似餌本体１が破損・損傷した場合でも、破損・損傷した擬似餌本体１をヘッド１１から取り外してこれを新しい擬似餌本体１と交換することができる。
【００５８】
さらに、ヘッド１１に擬似餌本体１が取り付けられた状態において、前後各突片１５（１５Ａ、１５Ｂ）が対応する挿入孔３（３Ａ、３Ｂ）に挿入されているので、擬似餌本体１が取付け片１２を中心に回転するのを前後両突片１５（１５Ａ、１５Ｂ）によって阻止することができる。これにより、ヘッド１１に取り付けられた擬似餌本体１の姿勢を強固に保持することができる。
【００５９】
さらに、各突片１５（１５Ａ、１５Ｂ）は鉤部１５ａ（１５Ａａ、１５Ｂａ）を有しているので、各突片１５（１５Ａ、１５Ｂ）を対応する挿入孔３（３Ａ、３Ｂ）に挿入すると、各突片１５（１５Ａ、１５Ｂ）の鉤部１５ａ（１５Ａａ、１５Ｂａ）が対応する挿入孔３（３Ａ、３Ｂ）の所定箇所（本実施形態では幅広孔部３ａ（３Ａａ、３Ｂａ）の底部ｘ）に係止され、これにより各突片１５（１５Ａ、１５Ｂ）が対応する挿入孔３（３Ａ、３Ｂ）から不慮に抜出するのを抑制することができる。そのため、擬似餌本体１をヘッド１１にしっかりと取り付けることができる。
【００６０】
さらに、前突片１５Ａの先端部にラインアイ１６が形成されているので、擬似餌本体１をヘッド１１に取り付けた後でラインアイ１６にスナップやスプリットリングを介してラインを接続すれば、差込み孔２から取付け片１２が抜出するのをスナップやスプリットリングによって抑制することができる。さらに、万一、差込み孔２から取付け片１２が不慮に抜出した場合でも擬似餌本体１にラインが通された状態になるので、擬似餌本体１の紛失を防止することができる。
【００６１】
さらに、ヘッド１１の取付け片１２の下縁部の突出部１２ａに後フックアイ１２ｂが形成されているので、この後フックアイ１２ｂにフック３０を接続することができる。
【００６２】
さらに、ヘッド１１の取付け片１２の後部が心板１４（詳述すると心板１４の後部）で形成されることで当該取付け片１２の後部が板状に形成されているので、ヘッド１１に取り付けられた擬似餌本体１が取付け片１２を中心に回転するのを更に強固に阻止することができる。これにより、ヘッド１１に取り付けられた擬似餌本体１の姿勢を更に強固に保持することができる。
【００６３】
以上で本発明の一実施形態について説明したが、本発明は上記実施形態に限定されるものではなく、本発明の要旨を逸脱しない範囲で様々に変更可能である。
【００６４】
例えば、上記実施形態の擬似餌４０では、擬似餌本体１にヘッド１１の取付け片１２に対応する差込み溝２が設けられているが、本発明に係る擬似餌では、その他に、擬似餌本体１に差込み溝２の代わりに差込み孔が擬似餌本体１の前端から後方に延びて設けられていても良い。
【００６５】
また、上記実施形態の擬似餌４０では、各突片１５（１５Ａ、１５Ｂ）に対応する挿入孔３（３Ａ、３Ｂ）が予め擬似餌本体１に設けられているが、本発明に係る擬似餌では、その他に、各挿入孔３（３Ａ、３Ｂ）が予め擬似餌本体１に設けられていないで、各突片が擬似餌本体１に抜出可能に差込み溝２から上方に突き刺されることにより擬似餌本体１がヘッド１１に取外し可能に取り付けられるように構成されていても良く、この場合、各突片は突き刺し用突片として作用する。
【００６６】
しかるに、前者の場合（即ち上記実施形態の擬似餌４０の場合）では、各突片１５（１５Ａ、１５Ｂ）に対応する挿入孔３（３Ａ、３Ｂ）が予め擬似餌本体１に設けられているから、後者の場合に比べて、擬似餌本体１をヘッド１１に取り付ける際の擬似餌本体１の位置ずれをより確実に抑制することができるし、各突片１５（１５Ａ、１５Ｂ）を擬似餌本体１に突き刺すことによる擬似餌本体１の損傷（例：突刺し傷）が生じないので擬似餌本体１を長期間に亘って使用することができる。
【００６７】
一方、後者の場合は、挿入孔３を予め擬似餌本体に設ける必要がないので、擬似餌本体１を容易に製造することができる。なお、後者の場合では、突片の鉤部は、擬似餌本体１に突き刺した突片が擬似餌本体１から不慮に抜出するのを抑制するように作用する。ただし、突片は鉤部を有していなくても良い。
【００６８】
また、上記実施形態の擬似餌４０では、取付け片１２に設けられた突片１５の個数は二つであるが、本発明に係る擬似餌では、その他に例えば、突片の個数は一つであっても良いし、三つ以上であっても良い。
【００６９】
また、上記実施形態の擬似餌４０では、取付け片１２の長さ方向の後部だけが板状に形成されているが、本発明に係る擬似餌では、その他に例えば、取付け片１２の長さ方向の略全体が板状に形成されていても良く、すなわち取付け片１２の長さ方向の少なくとも一部が板状に形成されていれば良い。
【産業上の利用可能性】
【００７０】
本発明は魚釣り用擬似餌に利用可能である。
【符号の説明】
【００７１】
１：擬似餌本体
２：差込み溝
３：挿入孔
１１：ヘッド
１２：取付け片
１２ａ：突出部
１２ｂ：フックアイ
１５：突片
１５ａ：鉤部
１６：ラインアイ
４０：擬似餌
【図１】
2018113923.tif 000003
【図２】
2018113923.tif 000004
【図３】
2018113923.tif 000005
【図４】
2018113923.tif 000006
【図５】
2018113923.tif 000007
【図６】
2018113923.tif 000008
【図７】
2018113923.tif 000009
【図８】
2018113923.tif 000010